(57)【要約】      （修正有）【課題】現場の施工状態に応じて、線処理空間を２段階に変更できるインターホン子機の取付台構造を提供する。【解決手段】インターホン子機には、取付台に係止するための係止爪と子機ネジ部を備え、取付台には、壁面にネジ留めする壁ネジ穴と、表面からインターホン子機を固定するための表係止溝、表子機ネジ穴と、裏面からインターホン子機を固定するための裏係止溝、裏子機ネジ穴を備えることによって、表面、裏面でもインターホン子機を取り付けられるインターホン子機の取付構造とする。【選択図】図４
2010232786.tif 000002
【特許請求の範囲】
【請求項１】
来訪者が居住者を呼び出すためのインターホン子機（１）を壁面（３）に取り付ける際に、前記壁面と前記インターホン子機の間に介在される取付台（２）を備えたインターホン子機の取付構造であって、
前記インターホン子機には、前記取付台に係止するための係止爪（１１）と子機ネジ部（１２）を備え、
前記取付台には、前記壁面にネジ留めする壁ネジ穴（２１、２１）と、表面（２ａ）から前記インターホン子機を固定するための表係止溝（２２ａ）、表子機ネジ穴（２３ａ）と、裏面（２ｂ）から前記インターホン子機を固定するための裏係止溝（２２ｂ）、裏子機ネジ穴（２３ｂ）を備えることによって、前記表面、前記裏面でも前記インターホン子機を取り付けられることを特徴とするインターホン子機の取付構造。
【請求項２】
前記表面から前記表係止溝および前記表子機ネジ穴までの表設置距離（２５ａ）は、前記裏面から前記裏係止溝および前記裏子機ネジ穴までの表裏設置距離（２５ｂ）よりも短いことを特徴とする請求項１記載のインターホン子機の取付構造。
【発明の詳細な説明】
【技術分野】
【０００１】
本発明は、インターホン玄関子機の取付構造に係わり、特にインターホン子機本体を壁面に取り付ける際に介する取付台に関するものである。
【背景技術】
【０００２】
従来から、玄関に設置される玄関子機は門扉等に設置された取付台に取り付けていた。例えば、特許文献１のような従来の玄関子機は、壁面等に固定するための取付台にネジで取り付けている。
【先行技術文献】
【特許文献】
【０００３】
【特許文献１】特開２００６−２３５３９９
【発明の開示】
【発明が解決しようとする課題】
【０００４】
しかしながら、従来のインターホン子機の取付構造では、取付台を介する玄関及び門等の壁面とインターホン子機との空間が固定であり、インターホン子機とインターホン親機等を接続する配線をその空間に収めるにあたり、インターホン子機に接続する配線数が多い場合には、空間に収まりきらなくなってしまい配線処理がやりにくくなってしまっていた。
本発明は、上述の難点を解決するためになされたものであって、現場の施工状態に応じて、線処理空間を２段階に変更できるインターホン子機の取付台構造を提供することを目的とする。
【課題を解決するための手段】
【０００５】
上記目的を達成するため、請求項１に記載の発明は、来訪者が居住者を呼び出すためのインターホン子機を壁面に取り付ける際に、壁面とインターホン子機の間に介在される取付台を備えたインターホン子機の取付構造であって、インターホン子機には、取付台に係止するための係止爪と子機ネジ部を備え、取付台には、壁面にネジ留めする壁ネジ穴と、表面からインターホン子機を固定するための表係止溝、表子機ネジ穴と、裏面からインターホン子機を固定するための裏係止溝、裏子機ネジ穴を備えることによって、表面、裏面でもインターホン子機を取り付けられることを特徴とする。
また、請求項２記載の発明は、請求項１記載の発明において、表面から表係止溝および表子機ネジ穴までの表設置距離は、裏面から裏係止溝および裏子機ネジ穴までの表裏設置距離よりも短いことを特徴とする。
【発明の効果】
【０００６】
請求項１の発明によれば、取付台の表側裏側でもインターホン子機を設置することができる。
請求項２の発明によれば、取付台の表側裏側でインターホン子機と壁との空間の広さを変えることができるため、現場の壁面の凹凸に応じて取り付けやすくすることができる。
【図面の簡単な説明】
【０００７】
【図１】本発明の取付構造における玄関子機本体の外観図である。
【図２】本発明の取付構造における取付台の表側から見た斜視図である。
【図３】本発明の取付構造における取付台の裏側から見た斜視図である
【図４】本発明の取付構造における取付台の断面図である。
【図５】本発明の取付構造におけるインターホン子機を取付台の表側に取り付けたときの断面図である。
【図６】本発明の取付構造におけるインターホン子機を取付台の裏側に取り付けたときの断面図である。
【発明を実施するための形態】
【０００８】
以下、本発明の取付構造の実施例を図に従って説明する。図１はインターホン子機の外観図であり、インターホン子機１は、取付台２に取り付けるための系止爪１１、子機ネジ部１２を有している。図２、図３には取付台２の斜視図であり、図２は表面２ａから見たときの斜視図、図３は裏面２ｂから見たときの斜視図である。取付台２は、壁３にネジ留めするための壁ネジ穴２１、２１と、表面２ａを壁面と逆向きに対峙させた状態でインターホン子機１を取り付けるための表係止溝２２ａ、表子機ネジ穴２３ａと、裏面２ｂを壁面と逆向きに対峙させた状態でインターホン子機１と取り付けるための裏係止溝２２ｂ、裏子機ネジ穴２３ｂとで構成されている。図４は、図２に示す取付台２をＡ−Ａ間で切断した時の断面図である。表面２ａ側を上向きとし、裏面２ｂ側を下向きとして表している。表面２ａの端面から表係止溝２２ａまでの距離を表設置２５ａ、裏面２ｂの端面から裏係止溝２２ｂまでの距離を裏設置距離２５ｂで表している。表設置距離２５ａは裏設置距離２５ｂよりも長くなっている。
【０００９】
ここで、一般的なインターホン子機１を取付台２に取り付ける方法を説明する。
まず、取付台２の表面２ａを壁３と逆向き対峙させた状態で壁３に押さえつけ、壁ネジ穴２１、２１にネジ（不図示）を通して壁３に固定させる。その後、インターホン子機１の係止爪１１を取付台２の表係止溝２２ａに係止させ、子機ネジ部１２を表子機ネジ穴２３ａにネジ留めすることにより、取付台２を介して壁３に固定させることができる。このとき、図５のように、表面２ａを壁３と逆向きに対峙させて固定した場合には、壁３とインターホン子機２の間の空間が狭くなる。つまり図４のように裏設置距離２５ｂの距離が表設置距離２５ａよりも短いため狭くなる。
【００１０】
次に、インターホン子機１に接続する配線数が多い場合のインターホン子機１の取付方法を説明する。
取付台２の裏面２ｂを壁と逆向きに対峙させた状態で壁３に押さえつけ、壁ネジ穴２１、２１にネジ（不図示）を通して壁３に固定させる、その後、インターホン子機１の係止爪１１を取付台２の裏係止溝２２ｂに係止させ、子機ネジ部１２を裏子機ネジ穴２３ｂにネジ留めすることにより、取付台２を介して壁３に固定させることができる。このとき、図６のように、裏面２ｂを壁３と逆向きに対峙させて固定した場合には、壁３とインターホン子機２の間の空間が広くすることができる。つまり図４のように表設置距離２５ａの距離が裏設置距離２５ｂよりも長いため広くできる。
従って、通常は取付台の表面２ａを壁３と逆向きに対峙させて取り付けるが、インターホン子機１に接続する配線数が多い場合には、裏面２ｂを壁３と逆向きに対峙させて取り付けることによって、インターホン子機１を取り付けやすくすることができる。
【符号の説明】
【００１１】
１・・・           インターホン子機
１１・・・       係止爪
１２・・・       子機ネジ部
２・・・           取付台
２ａ・・・       表面
２ｂ・・・       裏面
２１・・・       壁ネジ穴
２２ａ・・・     表係止溝
２２ｂ・・・     裏係止溝
２３ａ・・・     表子機ネジ穴
２３ｂ・・・     裏子機ネジ穴
３・・・           壁
【図１】
2010232786.tif 000003
【図２】
2010232786.tif 000004
【図３】
2010232786.tif 000005
【図４】
2010232786.tif 000006
【図５】
2010232786.tif 000007
【図６】
2010232786.tif 000008